(57)【特許請求の範囲】
【請求項１】
肥料タンク（１２）に貯留された流動性肥料を繰出し装置（１１）を介して施肥部（２１）から土中に施用する施肥装置（１０）を備え、苗の植付作業と同時に施肥作業を行う施肥田植機であって、蓋をねじ込むねじ部を有する口（２８ａ）を備えた肥料袋（２８）に前記施肥装置（１０）内の残留肥料を排出するドレン機構（２３）を設けた施肥田植機において、前記ドレン機構（２３）は、その排出口（２５）を、前記肥料袋（２８）の口（２８ａ）に挿入される挿入部（２９）に設けると共に、該挿入部（２９）の周囲に前記肥料袋（２８）の口（２８ａ）のねじ部全体を覆う被嵌部（３０）を設けるにあたり、該挿入部（２９）と被嵌部（３０）との間に、肥料袋（２８）の口（２８ａ）の厚さと同寸法の隙間（Ｌ）を隔てて設け、該挿入部（２９）と被嵌部（３０）とで肥料袋（２８）のねじ部を有する口（２８ａ）を挟持することでドレン機構（２３）と肥料袋（２８）とを接続すると共に、肥料の排出を行わない場合には、前記隙間（Ｌ）にキャップ（３１）を嵌合するように構成したことを特徴とする施肥田植機。
【請求項２】
前記挿入部（２９）を前記被嵌部（３０）よりも肥料排出方向に長く構成したことを特徴とする請求項１に記載の施肥田植機。
【請求項３】
前記ドレン機構（２３）はその管路を、機体に枢支した格納姿勢と、前記排出口（２５）が垂れ下がり接地可能な排出姿勢とに姿勢変更可能に構成したことを特徴とする請求項２に記載の施肥田植機。
【請求項４】
前記肥料タンク（１２）の肥料投入部（１３）に肥料袋の口（２８ａ）に被嵌する供給部（４１）を設け、肥料タンク本体と供給部（４１）の間を伸縮自在の供給管（４０）で接続したことを特徴とする請求項１、請求項２、又は請求項３に記載の施肥田植機。
【発明の詳細な説明】
【技術分野】
【０００１】
本発明は、圃場への苗の植付けと同時に圃場中への施肥を行う田植機に関する。
【背景技術】
【０００２】
従来、圃場への苗の植付けと同時に圃場中へ流動性肥料を施用する田植機において、肥料の貯留部から繰出部への肥料供給路に開閉自在な排出路を備えた田植機は知られている（特許文献１）。
また、肥料タンクに残った流動性肥料を肥料袋へ排出するために、ドレンホースに肥料袋の肥料投入口を螺着可能にした施肥作業機も知られている（特許文献２）。
【先行技術文献】
【特許文献】
【０００３】
【特許文献１】特開２００８−１７３０８６号公報
【特許文献２】特開２００９−４５００７号公報
【発明の概要】
【発明が解決しようとする課題】
【０００４】
上記特許文献１の田植機は、その肥料の排出路に開閉弁を備えることで肥料の排出の容易化を図っているが、排出路の下方にバケツ等を置いて回収することを想定しており、肥料の飛散が懸念され、また、バケツに回収した肥料の保管に困っていた。
また、上記特許文献２の施肥作業機は肥料タンクに残った流動性肥料を飛散させることもなく肥料袋に返却することができるが、ドレンホースの排出口の内側に設けたねじ部と、肥料袋の口の外側面に設けたねじ部とを螺合して接続せねばならず、接続作業が困難であり、また、ドレンホースの排出口から下方に向けて流れる流動性肥料の排出が、ドレンホースの内径側に螺着された肥料袋の口によって阻害される恐れがある。
また、螺合を解除すると肥料袋の口の外には肥料が付着しており、拭き取らねば蓋ができないといった問題があった。
本発明は、このような実状に鑑み、施肥装置内の残留肥料の速やかな回収、及び保管を容易にし、施肥作業の準備から施肥作業終了後の後作業に至るまでを、作業者が手や衣服等を汚すことなく速やかに行えるようにすることを課題とするものである。
【課題を解決するための手段】
【０００５】
本発明は、肥料タンクに貯留された流動性肥料を繰出し装置を介して施肥部から土中に施用する施肥装置を備え、苗の植付作業と同時に施肥作業を行う施肥田植機であって、蓋をねじ込むねじ部を有する口を備えた肥料袋に前記施肥装置内の残留肥料を排出するドレン機構を設けた施肥田植機において、前記ドレン機構は、その排出口を、前記肥料袋の口に挿入される挿入部に設けると共に、該挿入部の周囲に前記肥料袋の口のねじ部全体を覆う被嵌部を設けるにあたり、該挿入部と被嵌部との間に、肥料袋の口の厚さと同寸法の隙間を隔てて設け、該挿入部と被嵌部とで肥料袋のねじ部を有する口を挟持することでドレン機構と肥料袋とを接続すると共に、肥料の排出を行わない場合には、前記隙間にキャップを嵌合するように構成したことを特徴とする。
【０００６】
また、前記挿入部を前記被嵌部よりも肥料排出方向に長く構成したことを特徴とする。
【０００７】
さらに、前記ドレン機構はその管路を、機体に枢支した格納姿勢と、前記排出口が垂れ下がり接地可能な排出姿勢とに姿勢変更可能に構成したことを特徴とする。
【０００８】
そして、前記肥料タンクの肥料投入部に肥料袋の口に被嵌する供給部を設け、肥料タンク本体と供給部の間を伸縮自在の供給管で接続したことを特徴とする。
【発明の効果】
【０００９】
本発明は、肥料タンクに貯留された流動性肥料を繰出し装置を介して施肥部から土中に施用する施肥装置を備え、苗の植付作業と同時に施肥作業を行う施肥田植機であって、蓋をねじ込むねじ部を有する口を備えた肥料袋に前記施肥装置内の残留肥料を排出するドレン機構を設けた施肥田植機において、前記ドレン機構は、その排出口を、前記肥料袋の口に挿入される挿入部に設けると共に、該挿入部の周囲に前記肥料袋の口のねじ部全体を覆う被嵌部を設けるにあたり、該挿入部と被嵌部との間に、肥料袋の口の厚さと同寸法の隙間を隔てて設け、該挿入部と被嵌部とで肥料袋のねじ部を有する口を挟持することでドレン機構と肥料袋とを接続すると共に、肥料の排出を行わない場合には、前記隙間にキャップを嵌合するように構成したことにより、肥料袋の口を前記挿入部と被嵌部で挟み込むだけでドレン機構と肥料袋を接続でき、排出口の管路を開くと肥料袋に残留肥料が回収されるので、作業者が手や衣服等を汚すことなく回収することができる。
また、肥料袋の口に排出口の挿入部を挿入するので肥料袋の口が肥料の流れを阻害することもなく肥料袋内にスムーズに残留肥料を回収することができ、肥料回収後、ドレン機構と肥料袋の口の接続を解除し、肥料袋の口に蓋をする際にも、肥料が肥料袋やその口の外側に付着しないので手を汚すこともなく、肥料袋の口の回りを拭いたりする必要もない。
【００１０】
また、前記挿入部を前記被嵌部よりも長く構成したので、ドレン機構と肥料袋を接続する際には、外側の被嵌部に遮られることなく挿入部を目視しながら肥料袋の口に挿入し、そのまま押しこむだけで容易に肥料袋の口を挟持することができ、接続を解除する際には、被嵌部が肥料袋の口から離れた後に挿入部が抜き取られるので挿入部から垂れた肥料が被嵌部や他の部分に付着することを防止することができる。
【００１１】
さらに、前記ドレン機構はその管路を、機体に枢支した格納姿勢と、前記排出口が垂れ下がり接地可能な排出姿勢とに姿勢変更可能に構成したので、肥料袋を地面に置いた状態で肥料の回収が行えるため、肥料袋の口をドレン機構の排出口の挿入部と被嵌部とで挟持するだけで接続するものであっても、作業者が接続部の抜けを防ぐために接続部や肥料袋を支える必要もなく肥料回収を容易に行うことができる。
【００１２】
そして、前記肥料タンクの肥料投入部に肥料袋の口に被嵌する供給部を設け、肥料タンク本体と供給部の間を伸縮自在の管で接続したので、施肥作業の準備から施肥作業終了後の後作業に至るまでを、作業者が手や衣服等を汚すことなく容易且つ速やかに行うことができる。
【図面の簡単な説明】
【００１３】
【図１】本発明の施肥田植機の全体側面図である。
【図２】肥料タンクから繰出装置に至る肥料管路を示す平面図である。
【図３】肥料排出部を示す（ａ）平面図、（ｂ）側面図である。
【図４】肥料排出部と肥料袋の口を接続した状態を示す側断面図である。
【図５】ドレン機構の管路の姿勢変更状態を示す背面図である。
【図６】肥料袋、及び肥料供給台を示す斜視図である。
【図７】肥料供給手順を示す、（ａ）肥料袋の口と供給部の投入口の接続時を示す側面図、（ｂ）肥料投入時を示す側面図である。
【発明を実施するための形態】
【００１４】
次に、本発明の実施形態を図面に基づいて説明する。図１は本発明の施肥田植機を示す全体側面図であって、この乗用型田植機１は、左右一対の前輪２，２及び後輪３，３に支持された走行機体４を有し、走行機体４の後方に、昇降リンク機構５を介して植付作業機６が連結された構造となっている。
【００１５】
走行機体の前部にはエンジンを内装するボンネット７が設けられており、エンジンから取り出された動力は、トランスミッションケース８内の動力伝達機構によて作業機動力と走行動力に分配され、走行動力は前輪２，２、及び後輪３，３を駆動し、作業機動力は植付作業機６の植付装置９、及び施肥装置１０の繰出装置１１を駆動する。
【００１６】
図１、及び図２に基いて前記施肥装置１０について詳述すると、走行機体の前側部には左右に肥料タンク１２，１２を設けてあり、該肥料タンク１２，１２は夫々肥料投入部１３，１３を有している。本実施形態の肥料投入部１３は回動式の蓋１４，１４を有し、後部のヒンジ１５，１５，１５，１５を中心に上方に回動することにより肥料投入部１３，１３を開放し、前部のロック機構１６，１６で閉鎖状態を維持する。
【００１７】
前記肥料タンク１２，１２に投入された液肥、又はペースト肥料等の流動性肥料は供給管路１７を介して繰出装置１１に流入する。本実施形態の施肥田植機は８条植えの植付作業機を有しており、前記繰出装置１１は各植付条の側方に施肥を行うべく、ねじ式ポンプ８基からなり、上段３基、及び下段３基の２段からなる６条用のポンプユニット１１ａと、２基のねじ式ポンプが左右に並列する２条用のポンプユニット１１ｂを有している。
【００１８】
前記供給管路１７について詳述すると、肥料タンク１２，１２の下面には枝管１８ａ，１８ｂの一端が接続されており、該枝管１８ａ，１８ｂの他端はトランミッションケース８の後方において機体腹部に設けたサブタンク１９の前部に接続されている。該サブタンク１９の後部には２本の分岐管２０ａ，２０ｂの一端が接続されており、他端は夫々前記２基のポンプユニット１１ａ，１１ｂに接続されている。
【００１９】
前記左右の肥料タンク１２，１２に供給された流動性肥料は、該供給管路１７によって前記枝管１８ａ，１８ｂを介して前記サブタンク１９に集められ、前記分岐管２０ａ，２０ｂで再び分流されて左右のポンプユニット１１ａ，１１ｂに流入し、比較的粘度の高いペースト肥料であっても左右の肥料タンク１２，１２の肥料は略均一に消費され、残量に差が生じることがない。よって作業中における機体の左右バランス悪化を防止すると共に、一方の肥料タンク１２の肥料のみが減り、他方の肥料タンク１２には肥料が多量に残っているにも関わらず肥料切れ警報が報知されるような事態が起こるのを防止することができる。
【００２０】
そして、各条の植付装置９，９，・・・夫々の側方には、施肥ノズルからなる施肥部２１，２１，・・・が設けてあり、前記繰出装置１１から送り出された流動性肥料は、各条毎に設けた施肥管２２，２２，・・・を介して各条の施肥部２１，２１，・・・に送られ、各植付装置９，９，・・・によって植付られた苗の側方に施用される。
【００２１】
一方、前記サブタンク１９にはドレン機構２３が接続されており、施肥装置１０内に残留した流動性肥料の排出・回収を可能としている。
【００２２】
該ドレン機構２３について詳述すると、前記サブタンク１９の側面にドレンホース２４の基端部を接続し、該ドレンホース２４の先端部には排出口２５、及び該排出口２５への管路を開閉するコック２６を備えた排出部２７を接続している。
【００２３】
図３、及び図４に示すように、排出部２７はその先端に、肥料袋の口２８ａに嵌合する挿入部２９と、該挿入部２９の周囲に前記肥料袋の口２８ａを覆うように被嵌する被嵌部３０を有している。該挿入部２９と被嵌部３０は、肥料袋２８の樹脂製の口２８ａの厚さと同寸法の隙間Ｌを隔てており、図４に示すように、挿入部２９と被嵌部３０とで肥料袋の口のねじ部を挟持することによってドレン機構２３と肥料袋の口２８ａを接続するように構成している。
【００２４】
尚、肥料の排出を行わない場合は、前記隙間Ｌにキャップ３１を嵌合することで肥料の漏れを防止している。
【００２５】
また、図５に示すように、前記ドレンホース２４は、その基部の支持部３２を機体フレーム３３にブラケット３４を介して支持されており、該支持部３２は、前記サブタンク１９よりも若干低位となるように接続され、さらに先端側が低位な緩傾斜となるように支持されている。また、前記支持部３２の先端側には可撓性のジャバラ部２４ａを有し、前記排出部２７を任意の位置に移動させることができるように構成されている。
【００２６】
さらに、ドレンホース２４と排出部２７の間にはフック３５を備えており、機体側部のステップフレーム３６に設けた支持部材３７と係合することにより、図５の仮想線で示すように前記排出部２７をステップフレーム３６の下面に沿って位置させた格納姿勢となるように、その管路を機体に枢支できるように構成されている。
【００２７】
前記支持部材３７について詳述すると、前記ステップフレーム３６からはブラケット３７ａが下方に延設されており、該ブラケット３７ａにはノブボルト３７ｂが螺合されている。前記フック３５をノブボルト３７ｂのボルト軸に掛け、ノブボルト３７ｂを締め込むことにより、前記ブラケット３７ａとノブボルト３７ｂのノブ部で前記フック３５を挟持して固定する。
【００２８】
そして、前記格納姿勢から前記ノブボルト３７ｂを緩め、フック３５と支持部材３７との係合を解除すると、図５の実線で示すように排出口２５が垂れ下がり接地可能な排出姿勢となる。
【００２９】
以上の構成により、施肥装置１０から残留肥料を排出する際には、先ず、格納姿勢を解除して前記排出部２７の挿入部２９を肥料袋の口に嵌入する。さらに押し込むと、挿入部２９と被嵌部３０とで肥料袋の口２８ａを挟持して肥料袋２８とドレン機構２３が接続される。
そして、コック２６を操作して排出口２５への管路を開くとドレン機構２３より施肥装置１０内の残留肥料が排出され、肥料袋２８に回収される。
【００３０】
このとき、肥料袋の口２８ａを前記挿入部２９と被嵌部３０で挟み込むだけでドレン機構２３と肥料袋２８を接続でき、コック２６を操作して排出口２５の管路を開くと肥料袋２８に残留肥料が回収されるので、作業者が手や衣服等を汚すことなく回収することができる。
【００３１】
また、肥料袋の口２８ａに排出口２５の挿入部２９を挿入するので肥料袋の口２８ａが肥料の流れを阻害することもなく肥料袋２８内にスムーズに残留肥料を回収することができ、肥料回収後、ドレン機構２３と肥料袋の口２８ａの接続を解除し、肥料袋の口２８ａに蓋をする際にも、肥料が肥料袋２８やその口２８ａの外側に付着しないので手を汚すこともなく、肥料袋の口２８ａの周りを拭いたりする必要もない。
【００３２】
さらに、前記ドレン機構２３はその管路を、機体に枢支した格納姿勢と、前記排出口２５が垂れ下がり接地可能な排出姿勢とに姿勢変更可能に構成したので、肥料袋２８を地面に置いた状態で肥料の回収が行えるため、肥料袋の口２８ａをドレン機構２３の排出口２５の挿入部２９と被嵌部３０とで挟持するだけで接続するものであっても、その接続部の抜けを防ぐために作業者が接続部や肥料袋を支える必要もなく肥料回収を行うことができる。
【００３３】
このとき、肥料袋２８の余分な空気を抜いて潰した状態にしておくと、ドレン機構２３からの残留肥料の排出が円滑に行われる。
【００３４】
尚、本実施形態ではドレン機構２３の管路の長さは、前記格納姿勢でステップ３７の外方に突出せず、且つ前輪２よりも機体外方で肥料袋２８を地面に置いた状態で肥料袋の口２８ａと排出部２７が接続できるような長さ構成している。このようにすると格納姿勢ではドレン機構２３の破損を防止でき、残留肥料の排出時には比較的機体外方で容易に肥料袋の口２８ａとの接続を行うことができる。
【００３５】
さらに、肥料タンク１２への肥料供給を改善するために図６に示すように、肥料タンク１２の肥料投入部１３と肥料袋の口２８ａを伸縮自在の管で接続しても良い。
【００３６】
詳述すると、本実施形態の肥料タンク１２の肥料投入部１３の蓋３８は肥料タンク１２の投入口３９に設けた雄ねじ部３９ａに対して螺合するように構成され、該蓋３８の天板部には樹脂製のジャバラホースからなる伸縮自在の供給管４０の基端部が接続されており、先端部にはその内径を肥料袋の口２８ａに外嵌する供給部４１が接続されている。
【００３７】
また、図５、及び図６の符号４２は肥料タンク１２に流動性肥料を供給する際に、肥料袋２８を載置する供給台であり、樹脂製の載置板４３を有しており、該載置板４３は架台部４４を介して、前記肥料タンク１２に支持される。
【００３８】
詳述すると該架台部４４は、円環状の第１取付部４５を有しており、該第１取付部４５は前記肥料タンク１２の投入口３９に設けた雄ねじ部３９ａに遊嵌した後、前記蓋３８を雄ねじ部３９ａに螺着することによって、蓋３８と肥料タンク１２によって挟持される。
【００３９】
また、前記第１取付部４５の他方側には下向きに開放するコ字状の第２取付部４６が肥料タンク１２，１２の本体を上方から挟み込むように構成され、第１取付部４５、及び第２取付部４６によって、前記載置板４３が肥料タンク１２の肥料投入部１３に向かって低くなる傾斜状になるように供給台４２がタンク１２に取付支持される。
【００４０】
さらに、前記載置板４３には、前記投入口３９の上方位置に切り欠き４７を形成しており、該切欠き４７によって、前記肥料袋２８を載置板４３上に載置した際、肥料袋の口２８ａが載置板４３の下方に貫通するように構成されている。
【００４１】
以上の構成により、流動性肥料を肥料タンク１２に供給する際には、前記供給台４２上に肥料袋２８を、その口２８ａが前記切欠き４７を貫通して下方に突出するように載置する。
【００４２】
次に図７（ａ）に示すように、肥料袋の口２８ａを上方に持ち上げ、前記供給管４０の先端の供給部４１に肥料袋の口２８ａを嵌入して接続する。このときジャバラホースからなる供給管４０は供給台４２を避けて伸長し、流動性肥料の高さ位置よりも高位置で供給部４１を接続することができる。
【００４３】
その後、ジャバラホースからなる供給管４０を縮退させると、図７（ｂ）に示すように、肥料袋の口２８ａと供給部４１の接続部を載置板４３の下方に位置させた状態となり、作業者が肥料袋２８や接続部を支持することなく容易に流動性肥料を肥料タンク１２に供給することができる。
【００４４】
また、図６、及び図７中の符号４８は流動性肥料を肥料袋２８から絞りだす補助具であって、切り欠き部４９を有した丸棒より構成されており、該切欠き部４９に肥料袋の端部を挿入した状態で肥料袋の口２８ａの方向に巻き込むことで肥料袋２８内の流動性肥料を残すことなく肥料タンク１２内へ供給することができる。
【００４５】
尚、このとき肥料タンク１２内の空気はブリーザホース５０から排出されるので、肥料タンク１２内の圧力上昇によって肥料袋の口２８ａと供給部４１の接続が解けることはない。
【００４６】
肥料タンク１２への供給装置をこのように構成すると、施肥作業の準備から施肥作業終了後の後作業に至るまでを、作業者が手や衣服等を汚すことなく容易且つ速やかに行うことができる。
【符号の説明】
【００４７】
１    施肥田植機
２，２    前輪
３，３    後輪
１０    施肥装置
１１    繰出し装置
１２，１２    肥料タンク
２３    ドレン機構
２５    排出口
２６    コック
２８    肥料袋
２９    挿入部
３０    被嵌部
４０    供給管
【図１】
0005705475.tif 000002
【図２】
0005705475.tif 000003
【図３】
0005705475.tif 000004
【図４】
0005705475.tif 000005
【図５】
0005705475.tif 000006
【図６】
0005705475.tif 000007
【図７】
0005705475.tif 000008